(57)【要約】  モーショングラフィックス（ｍｏｔｉｏｎ  ｇｒａｐｈｉｃｓ）またはビデオ上に重ね合わせられた場合、動的透明度で描かれるスクロールする選択肢リストから関心のある地点を選択することにより、オーディオ、ビデオおよび他のマルチメディアを再生する際のあらかじめ規定された時点を規定し、編集し、そこにジャンプするための、組み合わせたまたはコンピュータ上の方法。さらに、本発明により、そのようなシステムは、見ることができる領域を最大にしながら小型画面上で、ならびにさまざまなデバイスまたは人間の入力を備える大型画面デバイス上で容易に使用されるようになる。【選択図】図１ａ
2013536528.tif 000002
【特許請求の範囲】
【請求項１】
マルチメディアへのリンクを生成しナビゲートする方法であって：
メディアを再生するコンピュータデバイス；
メディア・ジャンプ・レイヤを表示する前記コンピュータ；および
前記メディア・ジャンプ・レイヤ内にメディア・ジャンプ・リンクを配置する前記コンピュータ
を含む方法。
【請求項２】
前記メディア・ジャンプ・レイヤは、前記メディア再生の最上部のメディア・ジャンプ・オーバーレイである、請求項１に記載の方法。
【請求項３】
前記メディア・ジャンプ・レイヤを視覚的に修正することをさらに含む、請求項１に記載の方法
【請求項４】
前記メディア・ジャンプ・リンクを視覚的に修正することをさらに含む、請求項１に記載の方法。
【請求項５】
前記メディア・ジャンプ・リンクは視覚的要素を有する、請求項１に記載の方法。
【請求項６】
前記メディア・ジャンプ・リンクは前記メディア内部の地点に対応する、請求項１に記載の方法。
【請求項７】
前記メディア・ジャンプ・リンクに前記メディア内の時間を割り当てることをさらに含む、請求項１に記載の方法。
【請求項８】
前記メディア・ジャンプ・リンクはテキストキャプションである、請求項１に記載の方法。
【請求項９】
前記メディア・ジャンプ・リンクは前記メディア内の音声と同期する、請求項６に記載の方法。
【請求項１０】
前記メディア・ジャンプ・レイヤを前記視覚的に修正することは：前記メディア・ジャンプ・レイヤの不透明度を変更すること；前記メディア・ジャンプ・レイヤの位置を動かすこと；前記メディア・ジャンプ・レイヤのサイズを変更すること；前記メディア・ジャンプ・レイヤを見えるようにすること；前記メディア・ジャンプ・レイヤを見えなくすることからなる群から選択される、請求項３に記載の方法。
【請求項１１】
前記メディア・ジャンプ・リンクを前記視覚的に修正することは：前記メディア・ジャンプ・リンクの不透明度を変更すること；前記メディア・ジャンプ・リンクの位置を動かすこと；前記メディア・ジャンプ・リンクのサイズを変更すること；前記メディア・ジャンプ・リンクを見えるようにすること；前記メディア・ジャンプ・リンクを見えなくすることからなる群から選択される、請求項４に記載の方法。
【請求項１２】
前記メディア・ジャンプ・リンクと対話して、前記メディアの再生時間を変更することをさらに含む、請求項１に記載の方法。
【請求項１３】
前記メディア・ジャンプ・リンクと対話して、情報を表示することをさらに含む、請求項１に記載の方法。
【請求項１４】
前記メディア・ジャンプ・レイヤを視覚的に修正することをさらに含む、請求項２に記載の方法。
【請求項１５】
前記メディア・ジャンプ・リンクを視覚的に修正することをさらに含む、請求項２に記載の方法。
【請求項１６】
前記メディア・ジャンプ・リンクを視覚的に修正することをさらに含む、請求項３に記載の方法。
【請求項１７】
前記メディア・ジャンプ・リンクは視覚的要素を有する、請求項２に記載の方法。
【請求項１８】
前記メディア・ジャンプ・リンクは視覚的要素を有する、請求項３に記載の方法。
【請求項１９】
前記メディア・ジャンプ・リンクは視覚的要素を有する、請求項４に記載の方法。
【請求項２０】
マルチメディアへのリンクを生成しナビゲートするための方法であって：
メディアを再生するコンピュータデバイス；
メディア・ジャンプ・レイヤを表示する前記コンピュータ；
前記メディア・ジャンプ・レイヤ内にメディア・ジャンプ・リンクを配置する前記コンピュータ；
を含み、前記メディア・ジャンプ・レイヤは前記メディア再生の最上部のメディア・ジャンプ・オーバーレイであり；
前記メディア・ジャンプ・レイヤを視覚的に修正することをさらに含み；
前記メディア・ジャンプ・リンクを視覚的に修正することをさらに含み；
前記メディア・ジャンプ・リンクは視覚的要素を有し；
前記メディア・ジャンプ・リンクは前記メディア内部の地点に対応し；
前記メディア・ジャンプ・リンクに前記メディア内の時間を割り当てることをさらに含み；
前記メディア・ジャンプ・リンクはテキストキャプションであり；
前記メディア・ジャンプ・リンクは前記メディア内の音声と同期し；
前記メディア・ジャンプ・レイヤを前記視覚的に修正することは：前記メディア・ジャンプ・レイヤの不透明度を変更すること；前記メディア・ジャンプ・レイヤの位置を動かすこと；前記メディア・ジャンプ・レイヤのサイズを変更すること；前記メディア・ジャンプ・レイヤを見えるようにすること；前記メディア・ジャンプ・レイヤを見えなくすることからなる群から選択され；
前記メディア・ジャンプ・リンクと対話して、前記メディアの再生時間を変更することをさらに含み；
前記メディア・ジャンプ・リンクと対話して、情報を表示することをさらに含み；
前記メディア・ジャンプ・リンクは視覚的要素を有する方法。
【発明の詳細な説明】
【技術分野】
【０００１】
（継続データ）
本発明は、２０１０年８月２３日に提出された仮特許出願第６１／３７５，８９７号明細書の非仮出願であり、その優先権を主張する。
【０００２】
本発明は、モーショングラフィックス（ｍｏｔｉｏｎ  ｇｒａｐｈｉｃｓ）またはビデオ上に重ね合わせられた場合、動的透明度で描かれるスクロールする選択肢リストから関心のある地点を選択することにより、コンピュータデバイス上で、オーディオ、ビデオおよび他のマルチメディアを再生する際のあらかじめ規定された時点を規定する、編集する、およびそこにジャンプするための方法である。さらに、本発明はそのようなシステムを、見ることができる領域を最大にしながら小型画面上で、ならびにさまざまなデバイスおよび人間の入力を使って大画面のデバイス上で容易に使用されるようにする。
【０００３】
本発明は、一般に、主要な視覚的コンテンツの上で、透明度が可変のレイヤ内に複数のテキストおよびグラフィック要素を表示し、かつ任意選択でオーバーレイするシステムを提供することにより、マルチメディアベースのエンターテインメント、教育ビデオ／取扱説明ビデオおよびコンピュータデバイス上で一連のイベントを詳述する動的に生成されたアニメーションを、特に、情報を直ちに回復させるまたはプレビューすることができることが有益である材料を向上させることに関する。
【背景技術】
【０００４】
本発明は、現在利用可能な方法で得られるレベルの精度に加えて、メディア内の特定の地点に迅速かつ正確にナビゲートする能力をユーザに与える、コンピュータデバイス上でオーディオ、ビデオおよびアニメーションを迅速に作成する方法を提供する。
【０００５】
従来、オーディオを聴く、またはビデオプログラムを見る視聴者が、マルチメディア製品を順次的な方法で体験した。しかしながら、ＣＤ、ＤＶＤおよびデジタルビデオファイルの発明により、ユーザは、コンテンツ制作者により規定された特定のチャプタマークにジャンプすることができた。ＣＤ記録は曲ごとにトラックを有することができ、ＤＶＤは映画内のシーンごとにチャプタを有することができる。しかしながら、歌われたまたは話されたダイアログの特定の文またはフレーズまで前後にジャンプする能力はまだ可能ではなかった。デジタル録音を聴く、または映画を見るユーザが、チャプタを「巻き戻す」または繰り返すことができるが、そうすることで、しばしばはるか後ろに行きすぎて、利用者が関心のないメディアの地点まで、利用者に見るおよび／または聴く時間を再度費やさせる。なおさらそうだが、言語学習のためなど、話し言葉を理解することが最も重要であるとき、特定の文の１つまたは２つに簡単にアクセスできることが、非常に問題となる。最近のデジタルメディアでは、「３０秒戻る」機能でこの問題を改善しようとするいくつかの段階または取り組みを経験してきた。しかしながら、これはしばしば、依然として大きすぎるジャンプである場合が多く、しばしば、ほとんど関心のない地点に利用者を連れて行く。要するに、この様式のジャンプは任意であり、言語およびコンテンツの文脈をまったく無視している。
【０００６】
字幕を示すビデオプレーヤが、テキストを１つの言語だけで表示する場合が多く、字幕は、完全に理解するには画面から消えるのが速すぎる場合が多い。これは、母国語の音声を聞き、かつ外国の字幕を十分迅速に読むことができないこと、または外国の音声を聞き、かつ自分のヒヤリング能力を確認するための外国の字幕をなくすことから選択しなければならない第二言語の学習者にとって特に問題となる。さらに、カラオケ装置などのエンターテインメントデバイスは、一度に１つのフレーズ、または単一の単位として表示され、消去される多数のフレーズのいずれかを表示する。このため、ユーザが歌詞をあまりにも早く見ることができなくなるので、曲の練習が困難になる。これに単一フレーズだけを巻き戻すことができないことが加われば、エンターテインメントは苛立たしい体験になる。
【０００７】
言語学習の分野では、オーディオの視覚的表現またはビデオのオーディオサウンドトラックの視覚的表現があることが、しばしば理解を深める１つの方法である。しかしながら、オーディオに対する歌詞は、音楽ビデオまたはカラオケ再生のときだけしか得られない。これらの製品は、従来型のＣＤおよびＤＶＤの技術に基づくので、典型的なＣＤおよびＤＶＤのプレーヤと同様に、適切にナビゲートすることができない。コンピュータベースのオーディオおよびビデオのプレーヤでは、ユーザが時間スライダをドラッグすることによりオーディオおよびビデオを「スクラブする（ｓｃｒｕｂ）」ことができるようになる場合が多い。しかしながら、時間スライダの小さな動きでさえ、数画素ほどわずかでさえ、しばしば一瞬で６秒〜１０秒のタイムジャンプをもたらす。さらに悪いことには、より長い時間範囲が同一解像度のスクラバ（ｓｃｒｕｂｂｅｒ）に指定されるので、メディア再生時間が長くなればなるほど、それだけ制御が粗くなる。たとえば、２分間の映画では、１２０画素幅のスクラバが、画素当たり１秒の解像度を有する。一方、２時間の映画では、スクラバの画素の動きごとに、１分のジャンプが発生する。これらの大きな時間ジャンプは、低スクラビング（ｓｃｒｕｂｂｉｎｇ）解像度と呼ぶことができる。理想的には、ユーザは、高スクラビング解像度である１秒未満の精度でスクラブできるべきである。
【０００８】
言語教育会社は最近、ビデオプログラムの横に別個のウィンドウを表示する（本質的には、１つは口語の原稿のため、および１つはビデオのための、２つの仮想モニタを提供する）、ホームコンピュータまたはラップトップなどの標準的コンピュータ上で実行されるプログラムを発売し始めた。口語の原稿のウィンドウでは、より多くの情報を求めてクリック可能なある種の単語が強調される。しかしながら、ほとんどの場合、ユーザには、原稿の中を制限なく前にも後ろにも任意にスクロールする能力がない。したがって、ユーザは、コンテンツを順次的に体験する必要がある。
【０００９】
車両または歩行者の経路選定中に使用されるＧＰＳ（ｇｌｏｂａｌ  ｐｏｓｉｔｉｏｎｉｎｇ  ｓｙｓｔｅｍ、全地球測位システム）ナビゲーションシステムの分野では、ナビゲーション指示が、同様に順次的な方法で描かれ、ユーザが、規定された経路に従ってナビゲートしながら進行する。これらのナビゲーションシステムでは、典型的な中間地点一覧表示のために専用画面が必要である。たとえば、地図上で車両の表示を見ている間、目的地にナビゲートするのに必要なすべての道程をユーザがプレビューしたい場合、典型的には、各ナビゲーション指示（典型的な指示が、たとえば「五番街で左折する」である）を一覧表示する全画面表示により地図が不明瞭になる。これらのナビゲーション指示は、ＣＤ内のトラックマークまたはＤＶＤ内のチャプタマークと類似している。
【００１０】
最近のＧＰＳナビゲーションプログラムでは、さらに詳細を提供しようとして、半透明の指示一覧表示を地図表示の右側３分の１にオーバーレイすることが採用された。ユーザがこの一覧表示を上下にスクロールし、２つの方法で半透明の一覧表示をオンおよびオフすることができた。しかしながら、半透明の一覧表示は、自動的に消える、または透明度が変わるように設計されておられず、一覧表示が、利用可能な画面スペースのほぼ３分の１または画面スペースを常に不明瞭にすることになった。これは、一覧表示を無効にするために運転者がＧＰＳデバイスと物理的に対話する必要があるので、運転者の気をそらす危険性を提起した。ＧＰＳデバイスとの物理的対話は、運転中にメールを送るのと非常によく似ており、危険であり、この種の善意から出た機能は、自動車衝突の危険性を高める可能性があった。従来型のＧＰＳナビゲーションデバイスはまた、オーディオの歌詞表示と非常に似ており、ナビゲーション指示を単一の長い垂直データリストとして実装するという欠陥を持っていた。歌詞のようにリストを上下にスクロールすることができるが、ユーザは、半透明のオーバーレイリストから特定の指示をクリックまたは選択することができなかった。さらに、ユーザが以前のナビゲーション指示を再び見たい場合、「古い」ナビゲーション指示にアクセスできなかった。重要でない指示を取り除いて、「幹線道路だけ」に焦点を合わせたい、またはその逆のユーザは、そうすることができず、「余分な」情報により気をそらされる危険性が常にあった。要するに、従来型のＧＰＳデバイス上でナビゲーション指示を一覧表示することは、ユーザ対話があったとしても、追加データをロードし表示することも、下にあるグラフィカルアニメーションのコンテンツを変えることもない一覧表示でしかない。
【００１１】
さらに、字幕をメディアと同期させることは、従来は退屈な工程であった。典型的には、ビデオメディアの再生を可能にするインタフェースが提供される。ユーザは、特定の字幕に関係がある開始時間および終了時間を打ち込み、字幕テキストを入力する。あるいは、ユーザは、字幕付けの開始時間および終了時間を時間スライダから選択してもよい。問題は、フォームフィールドの中に時間を打ち込むことは退屈であり、時間がかかるということである。時間スライダをクリックおよびドラッグする代替手段は、スクラビングの解像度が非常に低いので不正確である。このため、労力が非常に非効率になり、マルチメディア製品を製造するコストが増大する。革新的解決策があれば、製造コストを著しく低減することができる。
【００１２】
２０００年６月１３日にＧｌｉｃｋｍａｎらに付与された米国特許第６，０７６，０５９号明細書は、テキストファイルのテキストセグメントをオーディオファイルのオーディオセグメントに整列させる、コンピュータ化された方法である。２００２年８月２７日にＶａｎ  Ｔｈｏｎｇらに付与された米国特許第６，４４２，５１８号明細書は、クローズドキャプション上の時間整列を精緻なものにする方法である。２０１０年８月３１日にＫｉｍらに付与された米国特許第７，７８７，７５３号明細書は；テキストの字幕ストリームおよび関連データを記憶する。しかしながら、本発明と異なり、Ｇｌｉｃｋｍａｎら、Ｖａｎ  ＴｈｏｎｇらおよびＫｉｍらにより、ユーザが個々のテキストセグメントのグラニュラ（ｇｒａｎｕｌａｒ）制御を行うことができるようにはならない。
【先行技術文献】
【特許文献】
【００１３】
【特許文献１】仮特許出願第６１／３７５，８９７号明細書
【特許文献２】米国特許第６，０７６，０５９号明細書
【特許文献３】米国特許第６，４４２，５１８号明細書
【特許文献４】米国特許第７，７８７，７５３号明細書
【発明の概要】
【発明が解決しようとする課題】
【００１４】
したがって、この分野で革新があるにもかかわらず、コンピュータデバイス上で、話されたフレーズまたは文のレベルまで、迅速で正確なナビゲーションを用いて動作可能な、エンターテインメントおよび教育のメディアを迅速に作成する方法が必要である。
【課題を解決するための手段】
【００１５】
本発明は、コンピュータデバイス上で、現在利用可能な方法で得られる精度レベルに加えて、メディア内の特定の地点に迅速かつ正確にナビゲートする能力をユーザに与える、オーディオ、ビデオおよびアニメーションを迅速に作成する方法を提供する。本発明を使用したとき、多数の字幕またはナビゲーション要素がスクロール可能なレイヤに同時に見える。各字幕は、オーディオ、ビデオまたはナビゲーション経路内の時点に関連づけられ、ユーザが、ジャンプしたい、およびプレビューしたいまたは再び見たい文、フレーズまたはナビゲーション要素を選択できるようになる。また、ユーザは、字幕をスクロールして、現在、画面上で見ることができないことがあるフレーズ、文またはナビゲーションガイドを見つけることができる。スクロールでは不十分な場合、検索機能が提供される。本発明は、Ａ）タイミングを含まない、またはＢ）間違ったタイミングを有するテキストおよびグラフィックスをインポートし、次いで、画面スペースを犠牲にすることなく、現在再生されている字幕にタッチする、または選択することにより、字幕の迅速な時間調整を可能にするので、コンテンツ制作者およびコンテンツを向上させる発行者は、本発明が有用であるとさらに分かる。本発明は、より広い表示面を必要とせずに、ナビゲーション生成、再生およびスクラビングの機能を追加する。
【００１６】
曲に対する歌詞を表示するオーディオプレーヤに、表示された歌詞をオーディオ再生位置と同期させる機能があることはまれである。しかしながら、追加データを利用して歌詞の表示をオーディオ再生と同期させることにより体験を向上させる特別な技術が利用可能である。それほど高度ではない技術を使って、歌詞をスクロールすることができるが、オーディオ再生に自動的に同期しない。より高度な構成では、歌詞表示は同期するが、再生時間に基づき、「時間スライダ」をドラッグして再生位置を変更することによる以外、手動でスクロールすることができなかった。表示される歌詞は「読取専用」であり、かつすべての歌詞は、歌詞をすべて含む「単一要素」として描かれるので、ユーザが１つのフレーズだけと対話することは不可能であった。場合によっては、アクティブな歌詞がいくつかの方法で視覚的に強調されることが許されるが、この場合も、それは「読取専用」の強調である。したがって、フレーズと対話する方法がなかった。しかしながら、本発明は、各歌詞要素の責任を個々に負う。類推すると、本発明は、歌詞要素を「一かたまりのチーズ」としてではなく「個々に包装されたスライス」として提示する。本発明を使って、ユーザが、関心のあるコンテンツを検索し、スクロールして、利用者がジャンプしたいコンテンツを確認し、歌詞、主題などに基づき、所望の地点に直接ジャンプすることができる。
【００１７】
オーディオの完全にスクロールする文字化した原稿がビデオとは別個に第２のウィンドウに表示されるユーザ・インタフェース・レイアウトが、大量の画面スペースを消費する。このため、小型のハンドヘルドデバイスではこのレイアウトが実現不可能になり、したがって、その用途を大画面デバイスに制限する。従来の解決策は、アルファブレンディング（ａｌｐｈａ  ｂｌｅｎｄｉｎｇ）、すなわちテキストを半透明にする方法を使ってビデオ上に字幕を重ね合わせることである。これは、そのようなブレンディングは当然、ビデオイメージを不明瞭にするのを防止するために画面の下部だけにあるので、それ自体が問題になる。しかしながら、音声は速いことが多いので、話されたフレーズはそれぞれ時間的にすぐに通り過ぎるので、視覚的字幕はあまりにも速く消える。字幕の典型的な表示期間は、生徒が外国の話された単語を理解する、または外国の字幕を読むには短すぎる。これは、英語の字幕が素早く出現しては消える中国語のアクション映画を見ている、英語を母国語とする話者にとっても問題である。この場合も、特定の地点までスキップして戻る、たとえば２つの文を戻ることは、事実上、実現不可能である。
【００１８】
さらに、字幕をメディアと同期させることは、従来、退屈な工程であった。典型的には、ビデオメディアの再生を可能にするインタフェースが提供される。ユーザは、特定の字幕に関係のある開始時間および終了時間を打ち込み、字幕テキストを入力する。あるいは、ユーザは、時間スライダから字幕付けの開始時間および終了時間を選択してもよい。問題は、時間をフォームフィールドの中に打ち込むことは、退屈であり、時間がかかるということである。時間スライダをクリックしてドラッグする代替手段は、スクラビングの解像度が非常に低いので、不正確である。このため、労力が非常に非効率になり、マルチメディア商品を製造するコストが増大する。革新的解決策があれば、製造コストを著しく低減することができる。
【図面の簡単な説明】
【００１９】
【図１ａ】本発明のレイアウトの典型的な一実施形態をメディアオーバーレイ部分画面モードで示す。
【図１ｂ】本発明のレイアウトの典型的な一実施形態をメディアオーバーレイ全画面モードで示す。
【図２ａ】本発明のレイアウトの典型的な一実施形態を縦置きモードで示す。
【図２ｂ】本発明のレイアウトの典型的な一実施形態を、全画面メディア・ジャンプ・オーバーレイを備える縦置きモードで示す
【図２ｃ】本発明のレイアウトの典型的な一実施形態を大画面モードで示す。
【図３ａ】メディア・ジャンプ・オーバーレイが、スクラビング中でさえメディア再生とどのように同期するかを示す。
【図３ｂ】メディア・ジャンプ・オーバーレイが、さまざまな位置とどのように同期するかを示す。
【図３ｃ】メディア・ジャンプ・オーバーレイが、ナビゲーションのために同期することを示す。
【図４】メディア・ジャンプ・オーバーレイ・アルファが、ユーザとメディア・ジャンプ・オーバーレイとの対話の量およびタイプに応じてどのように調節されるかを示す。
【図５】メディア・ジャンプ・オーバーレイが、ユーザ対話によりどのようにスクロールすることができるかを示す。
【図６】メディア・ジャンプ・オーバーレイが、メディア・ジャンプ・リンク・データに基づき、メディア・ジャンプ・リンクをどのように描くかを示す。
【図７】メディア・ジャンプ・リンク要素のタップまたはクリックが、メディアの再生位置をどのように変化させるかを示す。
【図８ａ】メディア・ジャンプ・オーバーレイが、メディア・ジャンプ・リンク・データに基づき、メディア・ジャンプ・リンクをどのように描くかを示す。
【図８ｂ】メディア・ジャンプ・オーバーレイが、ユーザの役割に基づき、特定のメディア・ジャンプ・リンクとの押す対話にどのように応答するかを示す。
【図８ｃ】メディア・ジャンプ・オーバーレイが、ユーザの役割に基づき、特定のメディア・ジャンプ・リンクとのスワイプ対話にどのように応答するかを示す。
【図９】本発明が、どのようにして、ローカルストレージまたはネットワークからデータを取り出し、ネットワークを介して管理メタデータ転送を送り返すことができるかを示す。
【図１０】メディア・ジャンプ・リンクが、メディアに関連する時間にジャンプすることが可能になるように、データをどのようにフォーマットすることができるかの一例を示す。
【図１１】ローカルストレージまたはネットワークを介して取り出され、画面上に描かれた情報を示す。
【図１２ａ】検索機能が、関心のあるメディア・ジャンプ・リンクへの迅速なナビゲーションをどのように可能にするかを示す。
【図１２ｂ】検索機能が、メディア・ジャンプ・リンクとのさまざまな対話にどのように反応するかを示す。
【発明を実施するための形態】
【００２０】
本発明は、スクロールする選択肢リストから関心のある地点を選択することにより、オーディオ、ビデオおよび他のマルチメディアを再生する際のあらかじめ規定された時点を規定し、編集し、そこにジャンプするための、コンピュータデバイスと組み合わせた方法である。これらの選択肢は、メディア・ジャンプ・リンク（１００）およびメディア・ジャンプ・オーバーレイ（１０２）の形でユーザに提示される。メディア・ジャンプ・オーバーレイ（１０２）は、１つまたは複数のメディア・ジャンプ・リンク（１００）を含むスクロールするレイヤまたはウィンドウであり、典型的には歌詞または字幕を表すテキスト要素および任意選択でグラフィック要素を含む。メディア・ジャンプ・リンク（１００）は、オーディオの視覚的歌詞、ビデオメディアのオーディオの視覚的原稿、視覚的テキストおよび視覚的グラフィックスを含む１つまたは複数の視覚的要素、たとえばテキスト、グラフィックスおよびアニメーションを含むリポジトリである。メディア・ジャンプ・リンク（１００）は、実際には１つまたは複数のフォントのテキスト、１つまたは複数の言語のテキスト、グラフィックス、アニメーション、基本的には目に見えるものはどんなものでも含むことができる。このために、メディア・ジャンプ・リンク（１００）はまた、タイミング情報、言語指定、方言指定、感情、口調、主題、任意の文字列タグ、アクティブな話者、アクティブな聞き手、要素アクティブ開始時間、要素アクティブ終了時間、ウェブページおよびデータソースなどのネットワーク・メディア・リンク、経度、緯度などを含む、ユーザに見えない要素を含む。
【００２１】
メディア・ジャンプ・オーバーレイ（１０２）は、テキスト要素を含む複数のエントリまたはメディア・ジャンプ・リンク（１００）を含み、これらのテキスト要素は、典型的には文により、および任意選択でより長い文に対するフレーズによりセグメント化される。ＧＰＳシステムなどのナビゲーションデバイスでは、重要なナビゲーション指示がそれぞれセグメント化される。それぞれの文、フレーズまたはセグメントは、メディア・ジャンプ・リンク（１００）と称される。多数のメディア・ジャンプ・リンク（１００）がメディア・ジャンプ・オーバーレイ（１０２）上に表示される。メディア・ジャンプ・リンク（１００）は、２つ以上の言語で同時に表示するように構成されてもよい。メディア・ジャンプ・リンク（１００）はまた、話者、強調、主題または口調に応じて異なるように描かれてもよい。
【００２２】
本発明は、標準的なコンピュータモニタ、従来型のテレビ画面、ｉＰｈｏｎｅ（商標）などのハンドヘルドデバイスまたはオーディオ、ビデオおよび他のマルチメディアの再生を提供する他のデバイス上で見ることができる。本発明は、横置きモードまたは縦置きモードで見てもよい。再生されているメディアは、コンピュータで生成された、またはあらかじめ記録されたオーディオおよびビデオ、たとえばナビゲーション、アニメーションおよび歌われたときに単語の中の文字に彩色するカラオケスタイルのコンパクト・ディスク・プラス・グラフィックス（ＣＤ＋Ｇ）・テキストなどのメディアを含むことができる。さらに、十分な画面スペースが利用できる場合、メディア・ジャンプ・オーバーレイ（１０２）は、メディア再生の描かれたグラフィック表示のそばの専用領域に表示されてもよい。場合によっては、ユーザは、メディアプレーヤの制御手段を示すことなく全画面モードでメディア・ジャンプ・オーバーレイ（１０２）を見ることを望んでもよい。こういうケースがしばしばあるのは、メディアプレーヤの制御手段が、提供される機能に関連してあまりにも多くの画面スペースを占有するためである。
【００２３】
図１ａは、本発明のレイアウトの典型的な一実施形態を横置きモードかつメディアオーバーレイ部分画面モードで示す。３つのメディア・ジャンプ・リンク（１００）がメディア・ジャンプ・オーバーレイ（１０２）内部に示されている。メディア・ジャンプ・オーバーレイ（１０２）内部のメディア・ジャンプ・リンク（１００）は、同一スペースを視覚的に占有する、または従来型の電子デバイスの画面（１５０）上に表示されたフル・モーション・メディア（１０３）を「オーバーレイする」。メディアプレーヤの制御手段は、画面（１５０）の最上部および最下部の両方で見ることができる。画面（１５０）の最上部には、ユーザが本発明の使用を中断する（すなわち閉じる）ことができるメディア非表示ボタン（１１０）、ならびにメディア経過時間インジケータ（１１５）、メディア時間スライダ（１０１）およびメディア残り時間インジケータ（１２５）を備えるメディア時間進行バー（１２０）、ならびにオプションボタン（１３０）がある。画面の底部には、標準的なメディア制御手段、すなわち巻き戻し（１３５）、再生（１４０）および早送り（１４５）がある。また、プログラムオプションを構成することができるメニュー、たとえばメディア選択、再生モード、視覚的好みなども提示するように設計された動作設定ボタン（１０５）も示されている。
【００２４】
図１ｂは、本発明のレイアウトの典型的な一実施形態を全画面モードで、メディアオーバーレイを備える横置きモードで示す。８つのメディア・ジャンプ・リンク（１００）がメディア・ジャンプ・オーバーレイ（１０２）内部に示されている。メディア・ジャンプ・オーバーレイ（１０２）内部のメディア・ジャンプ・リンク（１００）は、同一スペースを視覚的に占有する、または従来型の電子デバイスの画面（１５０）上に表示されたフル・モーション・メディア（１０３）を「オーバーレイする」。画面（１５０）の最下部にある動作設定ボタンを除き、図１ｂにはメディアプレーヤの制御手段が示されていない。動作決定ボタン（１０５）は、プログラムオプションを構成することができるメニュー、たとえば部分画面モードおよび全画面モードの間でメディア・ジャンプ・オーバーレイ（１０２）をトグルで切り換えること、メディア選択、再生モード、視覚的好みなどを表示させる。
【００２５】
図２ａは、本発明のレイアウトの典型的な一実施形態を縦置きモードかつメディア・ジャンプ・オーバーレイ（１０２）部分画面モードで示す。メディア・ジャンプ・オーバーレイ（１０２）内部に８つのメディア・ジャンプ・リンク（１００）が示されている。メディア・ジャンプ・オーバーレイ（１０２）内部のメディア・ジャンプ・リンク（１００）は、同一スペースを視覚的に占有する、または従来型の電子デバイスの画面（１５０）上に表示されたフル・モーション・メディア（１０３）を「オーバーレイする」。この場合、だれが話しているか（たとえば「第１の話者」、「第２の話者」など）を示す人物コンテキスト機能（２０１）、およびユーザがテキストを異なる言語で、単独でまたは同時に表示することが可能になる多言語機能（２０２）を示すように構成されたメディア・ジャンプ・リンク（１００）も示される。メディアプレーヤの制御手段は、画面（１５０）の最上部および最下部の両方で見ることができる。画面（１５０）の最上部には、ユーザが本発明の使用を中断する（すなわち閉じる）ことができるメディア非表示ボタン（１１０）、ならびにメディア経過時間インジケータ（１１５）、メディア時間スライダ（１０１）およびメディア残り時間インジケータ（１２５）を備えるメディア時間進行バー（１２０）、ならびにオプションボタン（１３０）がある。画面の底部には、標準的なメディア制御手段、すなわち巻き戻し（１３５）、再生（１４０）および早送り（１４５）がある。また、プログラムオプションを構築することができるメニュー、たとえばメディア選択、再生モード、視覚的好みなどを提示するように設計された動作決定ボタン（１０５）も示されている。
【００２６】
図２ｂは、本発明のレイアウトの典型的な一実施形態を全画面メディア・ジャンプ・オーバーレイ（１０２）を備える縦置きモードで示す。メディア・ジャンプ・オーバーレイ（１０２）内部に１２のメディア・ジャンプ・リンク（１００）が示されている。メディア・ジャンプ・オーバーレイ（１０２）内部のメディア・ジャンプ・リンク（１００）は、同一スペースを視覚的に占有する、または従来型の電子デバイスの画面（１５０）上に表示されたフル・モーション・メディア（１０３）を「オーバーレイする」。図２ｂに示される本発明の他の機能には、ユーザがテキストを異なる言語で表示することが可能になる多言語機能（２０２）、およびだれが話しているか（たとえば「第１の話者」、「第２の話者」など）を示す人物コンテキスト機能（２０１）が含まれる。画面（１５０）の最下部にある動作設定ボタン（１０５）を除き、図２ｂにはメディアプレーヤの制御手段は示されない。動作設定ボタン（１０５）は、プログラムオプションを構築することができるメニュー、たとえばメディア選択、再生モード、視覚的好みなどを提示する。
【００２７】
図２ｃは、本発明のレイアウトの典型的な一実施形態を大画面モードで示す。メディア・ジャンプ・オーバーレイ（１０２）内部に８つのメディア・ジャンプ・リンク（１００）が示されている。メディア・ジャンプ・オーバーレイ（１０２）内部のメディア・ジャンプ・リンク（１００）は、従来型の電子デバイスの画面（１５０）上に表示されたフル・モーション・メディア（１０３）と同一スペースを視覚的に占有しない。メディア・ジャンプ・リンク（１００）の下には、だれが話しているか（たとえば「第１の話者」、「第２の話者」など）を示す人物コンテキスト機能（２０１）、およびユーザがテキストを異なる言語で表示することが可能になる多言語機能（２０２）がある。メディアプレーヤの制御手段は、画面（１５０）の最上部および最下部の両方で見ることができる。画面（１５０）の最上部には、ユーザが本発明の使用を中断する（すなわち閉じる）ことができるメディア非表示ボタン（１１０）、ならびにメディア経過時間インジケータ（１１５）、メディア時間スライダ（１０１）およびメディア残り時間インジケータ（１２５）を備えるメディア時間進行バー（１２０）、ならびにオプションボタン（１３０）がある。画面の底部には、標準的なメディア制御手段、すなわち巻き戻し（１３５）、再生（１４０）および早送り（１４５）がある。本発明を使用中に、実際の物理的画面（１５０）のより狭い部分を占有するように、ユーザがウィンドウのサイズを変更してもよい。この場合、メディア・ジャンプ・オーバーレイ（１０２）は、もはやフル・モーション・メディア（１０３）のそばでは視覚的に合わないことがあり、その場合、フル・モーション・メディア（１０３）の最上部の上でメディア・ジャンプ・オーバーレイ（１０２）の「オーバーレイ」に復帰する。これにより、事実上、図１ａ、図１ｂ、図２ａまたは図２ｂで説明された本発明の動作に戻る。
【００２８】
図３ａは、メディア・ジャンプ・オーバーレイ（１０２）が、スクラビング中でさえメディア再生とどのように同期するかを示す。メディア再生が進むにつれ、メディア・ジャンプ・オーバーレイ（１０２）上のテキストキャプションが、メディア音声に同期する。メディア時間スライダ（１０１）がドラッグされた場合、メディア・ジャンプ・オーバーレイ（１０２）はスクロールして、メディア音声と同期する。メディア再生またはナビゲーションが進むにつれ、歌詞、字幕またはナビゲーション要素がスクロールし続ける。図３ａは、本発明を３つの位置で、すなわち「最初のメディア開始」、「使用中の位置」および「最終メディア位置」を示す。図３ａの「最初のメディア位置」の図では、メディア・ジャンプ・リンク（１００）は、従来画面（１５０）上のフル・モーション・メディア（１０３）の上に重ね合わせて示されている。「テキスト＃９」（３０１）というラベルのメディア・ジャンプ・リンクが、画面（１５０）の最下部に示されている。図３ａの「使用中の位置」の図は、メディアを０：５５から再生させるようにメディア時間スライダ（１０１）をドラッグしたとき、フル・モーション・メディア（１０３）が前進するだけでなく、「テキスト＃９」（３０１）メディア・ジャンプ・リンクが画面（１５０）の最上部近傍まで上に移動することにより示されるように、メディア・ジャンプ・オーバーレイ（１０２）が同様に上にスクロールし、時間０：５５に対する現在のメディア・ジャンプ・リンクである「テキスト＃１６」（３０２）メディア・ジャンプ・リンクを画面（１５０）の最下部に描くことを示す。図３ａの「最終メディア位置」の図は、フル・モーション・メディア（１０３）が終わりに到達したとき、メディア・ジャンプ・オーバーレイ（１０２）内の最終メディア・ジャンプ・リンク（１００）が画面（１５０）上に表示されることを示す。
【００２９】
図３ｂは、メディア・ジャンプ・オーバーレイ（１０２）が、画面（１５０）上の任意の位置で、どのように同期して描くことができるかを示す。メディア再生またはナビゲーションが進みにつれ、歌詞、字幕またはナビゲーション要素がスクロールし続け、フル・モーション・メディア（１０３）およびメディア・ジャンプ・オーバーレイ（１０２）は同期して画面（１５０）上の任意の位置で描くことができる。これにより、アクティブに話されたまたは歌われたオーディオ・メディア・ジャンプ・リンク（１００）が、従来行われたように、画面（１５０）の最下部で、または次に来る要素の視覚的プレビューを可能にするために画面（１５０）上のより高い位置で表示されることができるようになる（ＧＰＳデバイスなどのナビゲーション製品の場合、メディア・ジャンプ・オーバーレイ（１０２）は、図３ｃに示すように、現在のナビゲーション活動と同期する）。例示のために、図３ｂは、「メディア・ジャンプ・リンク・データ＃９」（３４０）に示されるように、タイムコード０：５５を割り当てられた特定のメディア・ジャンプ・リンク・データ要素「テキスト＃９」（３４１）を使用する。図３ｂでは、画面最下部の同期（３１０）図が、「テキスト＃９」（３４１）が画面最下部の同期（３１０）の形で描かれていることを示し、画面最下部の同期（３１０）には、メディア・ジャンプ・オーバーレイ（１０２）の最下部で見るための「テキスト＃９」（３４１）および過去のフレーズ（またはおそらくは、メディア・ジャンプ・リンクのソーティング順序が逆になった場合には将来のフレーズ）が配置される。または、図３ｂでは、画面中央の同期（３２０）図に示すように、タイムコード０：５５の「テキスト＃９」（３４１）は、画面中央の同期（３２０）の形で描くことができ、画面中央の同期（３２０）には、メディア・ジャンプ・オーバーレイ（１０２）の中央で見るための「テキスト＃９」（３４１）、「テキスト＃９」（３４１）の下にある将来のフレーズおよび「テキスト＃９」（３４１）の上にある過去のフレーズが配置される。画面中央の同期（３２０）は、ランダムな視覚的アクセスが、音声の正確なタイミングよりも重要である取扱説明ビデオにおいて、たとえば行われる動作を見ることも、次にどんな材料が必要であるかを知ることもユーザが望むことがある料理番組において重要である。最後に、図３ｂでは、画面最上部の同期（３３０）図で示されるように、タイムコード０：５５の「テキスト＃９」（３４１）は、画面最上部の同期（３３０）の形で描くことができ、画面最上部の同期（３３０）には、メディア・ジャンプ・オーバーレイ（１０２）の最上部で見るための「テキスト＃９」（３４１）および「テキスト＃９」（３４１）の下にある将来のフレーズが配置される。ユーザが、手作業で、オーディオまたはビデオ内の新しいチャプタまでナビゲートすることによりビデオ再生をスクラブする、またはビデオ時間スライダ（１０１）を左右にドラッグした場合、メディア・ジャンプ・オーバーレイ（１０２）は、画面最下部の同期（３１０）、画面中央の同期（３２０）、画面最上部の同期（３３０）のいずれかの形で、符号化されたアクティブなメディア・ジャンプ・リンク・データ要素を現在の時間と同期させ続ける、またはユーザは、視覚的同期地点をメディア・ジャンプ・オーバーレイ（１０２）上の別の地点に設定することができる。
【００３０】
図３ｃは、メディア・ジャンプ・オーバーレイ（１０２）が、ＧＰＳシステムまたはその均等物においてナビゲーションのためにどのようにして同期するかを示す。図３ｃに示されるナビゲーション動作を示すために、経度、緯度、運転指示などのような方向情報を含む特定のメディア・ジャンプ・リンク・データ要素「Ｂで右折」（３５０）（図３ｃに示すように、「メディア・ジャンプ・リンク・データ”２」として符号化される）を利用する。
【００３１】
図３ｃに示される第１のナビゲーション機能は、現在位置表示機能（３５１）である。出発地点Ａから地点Ｂおよび地点Ｃを通り目的地点Ｄまでナビゲートしていると仮定すると、典型的なナビゲーションプログラムが、ユーザの現在位置を表示する現在位置アイコン（３６１）だけでなく、ルート進行マーカ（３６２）を画面（１５０）上に示す。「Ｂで右折」（３５０）を含むメディア・ジャンプ・オーバーレイ（１０２）が、出発地点Ａから目的地点Ｄまでの、絵の形の方向情報と一緒に、出発地点Ａから目的地点Ｄまでの、テキストの形の方向情報を示す。
【００３２】
図３ｃに示される第２のナビゲーション機能が、ナビゲーションプレビュー機能（３５２）である。この機能により、ユーザは、メディア・ジャンプ・オーバーレイ（１０２）内部の「Ｂで右折」（３５０）と対話することができるようになる。ユーザが「Ｂで右折」をタッチすると、「Ｂで右折」（３５０）の中に符号化された方向情報に従って、ナビゲーションプレビュー機能（３５２）内部にプレビュー位置アイコン（３６４）が出現する。ナビゲーションプレビュー機能（３５２）のこの例は、ユーザが依然として最初の地点にいる間に行われるが、「Ｂで右折」（３５０）は地点Ｂでのナビゲーション動作を参照するので、プレビュー位置アイコン（３６４）は地点Ｂに示されている。プレビュー位置アイコン（３６４）が現在の物理的位置にないことを明らかにするために、プレビュー位置アイコン（３６４）は、現在の位置アイコン（３６１）と異なる形状または色を有してもよい。従来のメディア・タイム・スライダのように動かすことができるルート進行マーカ（３６２）は、ユーザがナビゲーションプレビュー機能（３５２）で利用できるもう１つの方法である。所定の期間後、ナビゲーションプレビュー機能（２５２）は、現在位置表示機能（３５１）に戻る。ナビゲーションプレビュー機能（３５２）内部では、これは、実際の現在位置が表示されているのではないことを明らかにするために、現在位置アイコン（３６１）は、異なる形状または色となるように外観を変えてもよい。
【００３３】
図３ｃに示される第３のナビゲーション機能が、当面の行動表示機能（３５３）である。ユーザのルートナビゲーションが進みにつれ、現在位置アイコン（３６１）は、ユーザの位置を画面（１５０）上に表示する。当面の行動表示機能（３５３）はまた、すでに行われたナビゲーション指示をメディア・ジャンプ・オーバーレイ（１０２）内に表示しないことにより、まだ行われていない当面のナビゲーション機能を強調する。ユーザにより依然としてまだ行われていないナビゲーション指示だけが、メディア・ジャンプ・オーバーレイ（１０２）内に表示される。
【００３４】
図４は、メディア・ジャンプ・リンク（１００）・アルファおよび／またはメディア・ジャンプ・オーバーレイ（１０２）・アルファが、ユーザとメディア・ジャンプ・オーバーレイ（１０２）との対話の量およびタイプに応じてどのように調節されるかを示す（アルファは、テキストが画面上で有する透明度のレベルを指す）。再生中、ユーザが（指、マウス、キーボードまたは他の入力デバイスであれ）入力デバイス（５０１）を使用して、スクロールするメディア・ジャンプ・オーバーレイ（１０２）と対話してもよく、その結果、本発明は、任意の特定のメディア・ジャンプ・リンク（１００）のアルファを変更するか、全体のメディア・ジャンプ・オーバーレイ（１０２）のアルファを変更するかを判定し、スクロールするメディア・ジャンプ・オーバーレイ（１０２）をより不透明な表示（４０１）またはより透明な表示（４０２）になるようにする。
【００３５】
図４に示されるより不透明な表示または完全に不透明な表示（４０１）があれば、ユーザはメディア・ジャンプ・オーバーレイ（１０２）内のコンテンツを読みやすくなり、メディア・ジャンプ・リンク（１００）またはメディア・ジャンプ・オーバーレイ（１０２）はより不透明なので、フル・モーション・メディア（１０３）は強調されない。その結果、最終的にメディア・ジャンプ・リンク（１００）の読みやすさが向上する。図４に示されるより透明な表示（４０２）があれば、メディア・ジャンプ・リンク（１００）および／またはメディア・ジャンプ・オーバーレイ（１０２）のコンテンツはより透明になるので、フル・モーション・メディア（１０３）は、透明なコンテンツを通してより見やすくなる。さらに、メディア・ジャンプ・リンク（１００）および／またはメディア・ジャンプ・オーバーレイ（１０２）のコンテンツは、時間の経過と共に透明になり、ユーザがフル・モーション・メディア（１０３）を見ることができるようにし、ユーザ対話が最小である場合、急激に透明になり、ユーザ対話が重要である場合（たとえば、一定量の追加データが画面上に描かれる場合）、ゆっくりと透明になる。メディア・ジャンプ・オーバーレイ（１０２）との対話が、構成可能な時間の長さの間、途絶えた後、メディア・ジャンプ・オーバーレイ（１０２）は、構成可能な量まで即座にまたは徐々に、ますます透明になる。これは、メディア・ジャンプ・オーバーレイ（１０２）が、ある程度常に見えてもよい、または希望すれば、要求されるまで、視界から単に消えてもよいことを意味する。さらに、メディア・ジャンプ・オーバーレイ（１０２）は、ユーザが希望したとき、活動化される、非活動化される、位置を動かされる、またはサイズを変更されてもよい。これにより、ユーザは、メディア・ジャンプ・オーバーレイ（１０２）がフォーカスの対象となるまで、字幕またはナビゲーションにより気をそらされることなくメディアを見ることができるようになる。これは、追加の画面スペースを消費しないという利点をさらに有し、全画面ビデオまたはアニメーションを可能にする。
【００３６】
図５は、メディア・ジャンプ・オーバーレイ（１０２）が、ユーザ対話によりどのようにスクロールすることができるかを示す。しかしながら、ドラッグする対話だけがあるとき、メディア・ジャンプ・オーバーレイ（１０２）は、フル・モーション・メディア（１０３）の再生時間またはメディア時間進行バー（１２０）を即座には更新しない。図５に示すように、第１のドラッグ状態図（５０４）は、入力デバイス（５０１）がメディア・ジャンプ・オーバーレイ（１０２）を上または下にスワイプする、通常のメディア再生を示す。メディア・ジャンプ・オーバーレイ（１０２）と入力デバイス（５０１）との対話中、メディア・ジャンプ・オーバーレイ（１０２）とフル・モーション・メディアの再生の自動同期を無効にすることができる。このように、コンピュータは、ユーザが過去の字幕を再び見ようとする、または次に来る字幕をプレビューしようとしている間、メディア・ジャンプ・オーバーレイ（１０２）を自動的にスクロールすることも、メディア・ジャンプ・オーバーレイ（１０２）をフル・モーション・メディア（１０３）と自動的に同期させることもない。図５に示すように、第１のドラッグ状態図（５０４）では、ディスプレイの最下部の位置にある要素（５０５）が、第２のドラッグ状態図（５１０）に示すように、ディスプレイの最上部に向けて上方にドラッグされる。第１のドラッグ状態図（５０４）の最下部および第２のドラッグ状態図（５１０）の最上部近傍に表示された要素は、同一要素であり、ディスプレイ上の異なる位置にドラッグされただけである。しかしながら、第１のドラッグ状態図（５０４）でメディア時間進行バー（１２０）上に示されたメディア再生時間は、第２のドラッグ状態図（５１０）のメディア時間進行バー（１２０）に示されたメディア再生時間と同一である。換言すれば、ドラッグする動作が、フル・モーション・メディア（１０３）の再生位置に必ずしも影響を及ぼすことなく、以前のメディア・ジャンプ・リンク（１００）を再び見ることまたは次に来るメディア・ジャンプ・リンク（１００）のプレビューを可能にする。
【００３７】
図６は、メディア・ジャンプ・オーバーレイ（１０２）が、メディア・ジャンプ・リンク・データに基づき、メディア・ジャンプ・リンク（１００）をどのように描くかを示す。図６はまた、特定のメディア・ジャンプ・リンク（１００）との短いタップまたはクリックによる対話が行うことが、ユーザの役割に基づくことを示す。ユーザは、特定の視覚的メディア・ジャンプ・リンク（１００）を選択してもよく、その地点で、メディアは、そのメディアに関連する時点にジャンプする。たとえば、以前の文を選択することにより、フル・モーション・メディア（１０３）内の歌われたまたは話されたフレーズが再び歌われるまたは話されるようになる。図６では、このことが、画面上で「テキスト＃１２」（６０１）というラベルの付いたメディア・ジャンプ・リンクとして描かれる、符号化されたデータを伴う「メディア・ジャンプ・リンク・データ＃１２」（６００）により実証される。入力デバイス（５０１）から「テキスト＃１２」（６０１）上でタップを受け、これにより、「メディア・ジャンプ・リンク・データ＃１２」（６００）の符号化されたデータで指定された「時点にジャンプする」動作が開始される。管理者のために、ユーザの構成およびアクセス権に基づき、要素タイミングに対して現在の再生時間を同期させることを容易にするための、任意選択の管理上のタイミングボタン（６１０）が提供されてもよい。さらに留意されるのが、本発明は、ユーザにより選択された時間よりも早いまたは遅いユーザ構成可能な時間を同期させることにより、人間の動作における人間の応答時間を許容する。
【００３８】
図７は、メディア・ジャンプ・リンク要素のタップまたはクリックが、メディアの再生位置をどのように変化させるかを示す。これは、図７では、「テキスト＃１６」（７０１）というラベルの付いたメディア・ジャンプ・リンクとして画面上に描かれた、符号化されたデータを伴う「メディア・ジャンプ・リンク・データ＃１６」（７００）により実証される。入力デバイス（５０１）が、「テキスト＃１６」（７０１）を画面（１５０）上のより高い地点まで上にまたはより低い地点までドラッグすることができる。この場合、入力デバイス（５０１）が「テキスト＃１６」（７０１）をタップしたとき、メディア経過時間インジケータ（１１５）およびそれに関連するメディア再生が、「メディア・ジャンプ・リンク・データ＃１６」（７００）内部に符号化されたデータにより規定されるように、０：３０から０：５５にジャンプする。この場合、「テキスト＃１６」（７０１）は、画面（１５０）の最下部に示されるが、その位置は、（図３ｂで上記に示されたように）ユーザが選択する画面上のどこへでも同期させることができる。
【００３９】
図８ａは、メディア・ジャンプ・オーバーレイ（１０２）が、メディア・ジャンプ・リンク・データに基づき、メディア・ジャンプ・リンク（１００）をどのように描くかを示す。また、図８ａは、特定のメディア・ジャンプ・リンク（１００）との押す対話を行うことが、ユーザの役割に基づくことを示す。たとえば、「テキスト＃９」（８１１）というラベルの付いたメディア・ジャンプ・リンクとして描かれた、符号化されたデータを伴う「メディア・ジャンプ・リンク・データ＃９」（８００）を描く場合、入力デバイス（５０１）が「テキスト＃９」（８１１）をタッチまたはクリックし、次いで、押し下げて、すぐに離さないとき、ユーザの構成およびアクセスレベルに基づき、フル・モーション・メディア（１０３）上で一連の動作を実行することができる。
【００４０】
（図８ｂおよび図８ｃに進む前に、タイミングモード（８２２）および編集モード（８２３）の機能を簡潔に説明することが有益である。タイミングモード（８２２）は、メディア・ジャンプ・リンク（１００）の特定のタイミング変数、特にその「開始時間」および「終了時間」を更新する能力を指す。タイミングモード（８２２）にあるとき、メディア・ジャンプ・リンク（１００）に対するクリック、タップまたは押し下げを開始することで、再生されているフル・モーション・メディア（１０３）の現在の再生時間を簡単に得て、そのメディア時間を参照するようにメディア・ジャンプ・リンク（１００）の開始時間を更新する。メディア・ジャンプ・リンク（１００）を押すまたはクリックを離したとき、再生されているフル・モーション・メディア（１０３）の現在の再生時間を得て、そのメディア時間を参照するようにメディア・ジャンプ・リンク（１００）の終了時間を更新する。編集モード（８２３）は、メディア・ジャンプ・リンク（１００）の開始時間および終了時間だけではなくそれ以外を編集する能力を提供する。編集モード（８２３）は、メディア・ジャンプ・リンク内部のデータに関係がある限り、開始時間および終了時間だけでなく、テキスト、グラフィックス、話者、言語、方言、気分、タグなどを制限なく編集してもよい。）
【００４１】
図８ｂは、メディア・ジャンプ・オーバーレイ（１０２）が、ユーザと特定のメディア・ジャンプ・リンク（１００）の対話にどのように応答するかを示す。ユーザがフル・モーション・メディア（１０３）を再生中、入力デバイス（５０１）が「テキスト＃９」（８１１）などの特定のメディア・ジャンプ・リンク（１００）を選択したとき、これにより、ブックマークを行うオプション、他の情報にアクセスするオプションまたはユーザの好みで選択されたデフォルト動作を備える再生オプションウィンドウが開かれる（再生オプションウィンドウ（８２１）に示されるオプションは、例示目的のためであり、異なるようにユーザが構成することができる）。タイミングモード（８２２）にある間、入力デバイス（５０１）が「テキスト＃９」（８１１）などの特定のメディア・ジャンプ・リンクを選択したとき、これにより、「テキスト＃９」（８１１）の開始時間が、「テキスト＃９」（８１１）が選択された、フル・モーション・メディア（１０３）上の瞬間に関連づけられる。「テキスト＃９」（８１１）の終了時間は、「テキスト＃９」（８１１）が選択解除された、フル・モーション・メディア（１０３）上の瞬間に関連づけられる。
【００４２】
図８ｃは、メディア・ジャンプ・オーバーレイ（１０２）が、スワイプ対話に、すなわちユーザがメディア・ジャンプ・リンク（１００）を左または右にスワイプしたときに、どのように応答するかを示す。ユーザがフル・モーション・メディア（１０３）を再生中、入力デバイス（５０１）が特定のメディア・ジャンプ・リンク（１００）、たとえば「テキスト＃９」（８１１）をスワイプしたとき、これにより、ブックマークを行うオプション、他の情報にアクセスするオプション、またはユーザの好みのデフォルト動作を備える再生オプションウィンドウ（８２１）が開かれる（再生オプションウィンドウ（８２１）に示されるオプションは、例示目的のためであり、異なるようにユーザが構成することができる）。管理再生中、編集モード（８２３）にある間、入力デバイス（５０１）が特定のメディア・ジャンプ・リンク、たとえば「テキスト＃９」（８１１）をスワイプしたとき、これにより、メディア・ジャンプ・リンク・エディタ（８２５）（図示せず）を出現させる。メディア・ジャンプ・リンク・エディタ（８２５）は、ユーザの編集内容をローカルに記憶する、ならびに／またはネットワーク接続および帯域幅が利用可能であり、かつＣＰＵサイクルも利用可能であるとき、ネットワークサーバ（９０４）（図９に示す）にユーザの編集内容を送信し、したがって、マルチメディアの「リアルタイム」再生要件を維持する。
【００４３】
図９は、本発明が、どのようにしてローカルストレージ（９０１）またはデータネットワーク（９０２）からユーザデータ／管理データの送信／取出し（９０３）を行い、データネットワーク（９０２）を介して管理メタデータ転送（９０５）を送り返すかを図解する。本発明は、ローカルストレージ（９０１）、データネットワーク（９０２）からデータを取り出す、またはさらには（たとえば、一連のイベントがおそらくさらに数回、動的に計算されるＧＰＳナビゲーションシステムにおいて）ユーザ入力に基づきそのようなデータを計算し、データネットワーク（９０２）を介して管理メタデータ転送（９０５）を送り返すことができる。管理メタデータと称される、本発明により作成されたタイミングおよび編集結果は、コンテンツ制作者のデバイス上のローカルストレージ（９０１）内にキャッシュされ、記憶される、または管理メタデータ転送（９０５）を介して、ネットワークサーバ（９０４）にデータネットワーク（９０２）を介してアップロードされてもよい。
【００４４】
図１０は、メディア・ジャンプ・リンクがメディアファイル（１００１）に関連する時間にジャンプすることが可能になるように、データをどのようにフォーマットすることができるかの一例を示す。オーディオ、ビデオおよび関連するメディア・ジャンプ・リンクの閲覧および配送を容易にするために、ユーザが、メディアファイル（１００１）およびメディア・ジャンプ・リンク・データ・パッケージ（１００２）をローカルストレージから、またはネットワークサーバ（図９参照）からデータネットワークを介して、またはＨＴＴＰダウンロード、ＦＴＰもしくはいくつかの他のカスタムプロトコルなどのデータ取出し機構を介してロードしてもよい。メディアファイル（１００１）およびメディア・ジャンプ・リンク・データ・パッケージ（１００２）などのデータは、追加の詳細、たとえば言語、方言、主題、注、タイムコード、任意の文字列タグ、経度、緯度、場所の名称、ナビゲーションテキスト、ナビゲーショングラフィックス、指示アイコンなどを含んでもよい。メディア・ジャンプ・リンク・データ・パッケージ（１００２）は、コンテンツ配布用にメディアファイル（１００１）の内部に埋め込まれてもよい。
【００４５】
図１１は、情報が、ローカルストレージまたはネットワークを介してどのように取り出され、画面上に描かれるかを示す。この場合、メディアファイル（１００１）は、画面上のビデオ（１１１０）として描かれ、１つまたは複数のメディア・ジャンプ・リンク・データ・エントリを含むメディア・ジャンプ・リンク・データパッケージ（１００２）が、フル・モーション・メディア（１０３）の上で、メディア・ジャンプ・オーバーレイ（１０２）上に描かれる。図１１には、メディア・ジャンプ・リンク（１００）の別の実施形態も示されている。典型的なマルチメディアオーディオおよびビデオ再生状況で使用するためのマルチメディアオーディオおよびビデオ再生メディア・ジャンプ・リンク（１１２０）が示されている。画面をそれほど不明瞭にしないように、より狭い幅を有する、ナビゲーションプログラムで使用するためのテキストおよび視覚的ナビゲーション補助メディア・ジャンプ・リンク（１１２１）も示されている。料理番組などの取扱説明ビデオで使用するために、テキストおよびグラフィックスのメディア・ジャンプ・リンク（１１２２）が示されている。不定期にオンラインで閲覧するまたはデスクトップＰＣを使用するユーザが、ネットワークサーバ（図９）からデータを「ストリーミングする」ことを選らんでもよく、この製品の「オンデマンド」閲覧を可能にする。しかしながら、携帯電話ユーザは、デバイスがネットワーク上にないときでさえ、アクセス可能性を保証するために、すべての情報をデバイス自体にローカルにインストールさせることを選んでもよい。
【００４６】
図１２ａは、検索機能が、関心のあるメディア・ジャンプ・リンクへの迅速なナビゲーションをどのようにして可能にするかを示す。ユーザが見つけたいと思うメディア・ジャンプ・リンクが、すぐに見つからないとき、ユーザは、検索機能を呼び出して、所望の要素を見つけ出してもよい。これは、検索用語フォーム（１２２０）および追加の検索用語フォーム（１２２１）をメディア・ジャンプ・オーバーレイ（１０２）の最上部に見せることにより行われる。追加の検索用語フォーム（１２２１）は、方言などの一般的なフィルタを含んでもよい、またはさらには話者、感情、主題などを選択するためのチェックボックス、ラジオボタンまたは選択メニューを表示してもよい。表示の最上部をタッチすることにより、スクロールするレイヤの最上部への迅速なジャンプが実行されることは一般的なことである。ユーザが所望の検索用語を打ち込んだとき、本発明は、各メディア・ジャンプ・リンク・データ要素に対して構成可能な１組のデータを検索することができる。検索呼出ボタンは必要ない。たとえば図１２ａでは、メディア・ジャンプ・リンク・データ・パッケージ（１００２）の内部に、５つのメディア・ジャンプ・リンク・データ要素が示されている。第２のメディア・ジャンプ・リンク・データ要素（１２１１）も第５のメディア・ジャンプ・リンク・データ要素（１２１２）も、検索文字列「ｌｏｇ」とマッチする。しかしながら、第５のメディア・ジャンプ・リンク・データ要素（１２１２）だけが、適切なタグ「ｊｏｙｆｕｌ」および方言「広東語」を有する。したがって、第５のメディア・ジャンプ・リンク・データ要素（１２１２）だけが、画面上でメディア・ジャンプ・リンク結果フォーム（１２２２）に描かれる。さらに、図１２ａは、ユーザが入力デバイス（５０１）を利用して、メディア・ジャンプ・リンク結果フォーム（１２２２）を選択することができ、この場合、メディア・ジャンプ・リンク結果フォーム（１２２２）は、基になるメディア・ジャンプ・リンク・データ要素（１２１２）およびその関連する時間（１２３２）（この例では「１：２３」）をユーザに見せる。
【００４７】
図１２ｂも、検索機能がメディア・ジャンプ・リンクとのさまざまな対話にどのように反応するかを示す。この例では、入力デバイス（５０１）はメディア・ジャンプ・リンク結果フォーム（１２２２）（図１２ａ参照）を選択し、メディア・ジャンプ・リンク結果フォーム（１２２２）は、検索結果タップ（１２３３）と呼ばれる機能を実行する。検索結果タップ（１２３３）によって、メディアはメディア・ジャンプ・リンク結果フォーム（１２２２）に関連する時間にジャンプし、表示は通常の同期したメディア・ジャンプ・オーバーレイに戻る。入力デバイス（５０１）がメディア・ジャンプ・リンク結果フォーム（１２２２）を押したとき、検索結果押下（１２３４）と呼ばれる機能が実行され、その位置まで再生を実際にジャンプさせることなく、メディア・ジャンプ・リンク結果フォーム（１２２２）に関連する開始時間からメディアを一時的に再生させる。メディア・ジャンプ・リンク結果フォーム（１２２２）から入力デバイス（５０１）を離すと、再生が停止する。
【００４８】
上述のすべてが新規かつ非自明であるとみなされること、およびさまざまなプラットフォームのための従来のプログラミング知識が、上述の本発明を可能にするために使用されたことを理解されたい。
【図１ａ】
2013536528.tif 000003
【図１ｂ】
2013536528.tif 000004
【図２ａ】
2013536528.tif 000005
【図２ｂ】
2013536528.tif 000006
【図２ｃ】
2013536528.tif 000007
【図３ａ】
2013536528.tif 000008
【図３ｂ】
2013536528.tif 000009
【図３ｃ】
2013536528.tif 000010
【図４】
2013536528.tif 000011
【図５】
2013536528.tif 000012
【図６】
2013536528.tif 000013
【図７】
2013536528.tif 000014
【図８ａ】
2013536528.tif 000015
【図８ｂ】
2013536528.tif 000016
【図８ｃ】
2013536528.tif 000017
【図９】
2013536528.tif 000018
【図１０】
2013536528.tif 000019
【図１１】
2013536528.tif 000020
【図１２ａ】
2013536528.tif 000021
【図１２ｂ】
2013536528.tif 000022
【国際調査報告】
2013536528.tif 000023